【手続補正書】
【提出日】平成27年2月17日(2015.2.17)
【手続補正１】
【補正対象書類名】特許請求の範囲
【補正対象項目名】全文
【補正方法】変更
【補正の内容】
【特許請求の範囲】
【請求項１】
識別情報の可変表示を行い表示結果を導出表示する可変表示手段における所定の入賞ライン上に導出表示された識別情報の組み合わせが特定の組み合わせであるときに遊技者にとって有利な有利状態とするとともに、前記特定の組み合わせが特定識別情報による識別情報の組み合わせであったときに前記有利状態が終了したのちに通常状態であるときに比べて前記特定の組み合わせが導出表示されやすい特別状態とする遊技機であって、
一の入賞ラインにおいて導出表示されている識別情報の組み合わせを前記特定の組み合わせの一部を構成するリーチ状態とした後に該一の入賞ライン上における識別情報の組み合わせが前記特定の組み合わせとなるか否かを演出する単一ラインリーチ演出と、複数の入賞ラインにおいて前記リーチ状態とした後に該複数の入賞ラインの各々において前記特定の組み合わせとなるか否かを演出する複数ラインリーチ演出とを含むいずれかのリーチ演出を実行するリーチ演出実行手段を備え、
前記リーチ演出実行手段は、前記有利状態となる場合には前記有利状態とならない場合と比べて、高い割合により前記複数ラインリーチ演出を実行しやすく、
前記有利状態となる場合には前記有利状態とならない場合と比べて、前記複数ラインリーチ演出を実行するときに、複数の入賞ライン各々の前記リーチ状態を構成する識別情報の種類として、前記特定識別情報以外の非特定識別情報が前記特定識別情報よりも多くなる割合が高くなるように前記複数ラインリーチ演出を実行する
ことを特徴とする遊技機。
【請求項２】
識別情報の可変表示を行い表示結果を導出表示する可変表示手段における所定の入賞ライン上に導出表示された識別情報の組み合わせが特定の組み合わせであるときに遊技者にとって有利な有利状態とするとともに、前記特定の組み合わせが特定識別情報による識別情報の組み合わせであったときに前記有利状態が終了したのちに通常状態であるときに比べて前記特定の組み合わせが導出表示されやすい特別状態とする遊技機であって、
一の入賞ラインで導出表示されている識別情報の組み合わせが前記特定の組み合わせの一部を構成するリーチ状態とした後に該一の入賞ライン上における識別情報の組み合わせが前記特定の組み合わせとなるか否かを演出する単一ラインリーチ演出と、複数の入賞ラインにおいて前記リーチ状態とした後に該複数の入賞ラインの各々において前記特定の組み合わせとなるか否かを演出する複数ラインリーチ演出とを含むいずれかのリーチ演出を実行するリーチ演出実行手段と、
前記特別状態となる場合に、前記可変表示手段における表示状態を一旦前記特定識別情報以外の非特定識別情報の組み合わせによる前記特定の組み合わせとした後に前記特別状態となることを報知する報知演出を実行可能な報知演出実行手段と、を備え、
前記リーチ演出実行手段は、前記有利状態となる場合には前記有利状態とならない場合と比べて、高い割合により前記複数ラインリーチ演出を実行しやすく、
前記報知演出を実行する場合には前記報知演出を実行しない場合と比べて、前記複数ラインリーチ演出を実行するときに、複数の入賞ライン各々の前記リーチ状態を構成する識別情報の種類として、前記非特定識別情報が前記特定識別情報よりも多くなる割合が高くなるように前記複数ラインリーチ演出を実行する
ことを特徴とする遊技機。
【手続補正２】
【補正対象書類名】明細書
【補正対象項目名】０００１
【補正方法】変更
【補正の内容】
【０００１】
本発明は、識別情報の可変表示を行い表示結果を導出表示する可変表示手段における所定の入賞ライン上に導出表示された識別情報の組み合わせが特定の組み合わせであるときに遊技者にとって有利な有利状態とするとともに、特定の組み合わせが特定識別情報による識別情報の組み合わせであったときに有利状態が終了したのちに通常状態であるときに比べて特定の組み合わせが導出表示されやすい特別状態とする遊技機に関する。
【手続補正３】
【補正対象書類名】明細書
【補正対象項目名】０００９
【補正方法】変更
【補正の内容】
【０００９】
そこで、本発明は、遊技に対する興趣を向上させることができる遊技機を提供することを目的とする。
【手続補正４】
【補正対象書類名】明細書
【補正対象項目名】００１０
【補正方法】変更
【補正の内容】
【００１０】
本発明による遊技機は、識別情報（例えば、演出図柄）の可変表示を行い表示結果を導出表示する可変表示手段（例えば、演出表示装置９）における所定の入賞ライン上に導出表示された識別情報の組み合わせが特定の組み合わせ（例えば、大当り図柄）であるときに遊技者にとって有利な有利状態（例えば、大当り遊技状態）とするとともに、特定の組み合わせが特定識別情報（例えば、確変図柄）による識別情報の組み合わせであったときに有利状態が終了したのちに通常状態であるときに比べて特定の組み合わせが導出表示されやすい特別状態（例えば、確変状態）とする遊技機であって、一の入賞ラインにおいて導出表示されている識別情報の組み合わせを特定の組み合わせの一部を構成するリーチ状態とした後に該一の入賞ライン上における識別情報の組み合わせが特定の組み合わせとなるか否かを演出する単一ラインリーチ演出（例えば、シングルリーチの演出）と、複数の入賞ライン（例えば、図４９〜図５１の入賞ラインＬ１，Ｌ２、図５２の入賞ラインＬ１〜Ｌ３）においてリーチ状態とした後に該複数の入賞ラインの各々において特定の組み合わせとなるか否かを演出する複数ラインリーチ演出（例えば、ダブルリーチの演出）とを含むいずれかのリーチ演出を実行するリーチ演出実行手段（例えば、演出制御用マイクロコンピュータ１００におけるリーチを伴う変動パターンに従って、ステップＳ８２６，Ｓ８３５を実行する部分）を備え、リーチ演出実行手段は、有利状態となる場合には有利状態とならない場合と比べて、高い割合により複数ラインリーチ演出を実行しやすく、有利状態となる場合には有利状態とならない場合と比べて、複数ラインリーチ演出を実行するときに、複数の入賞ライン各々のリーチ状態を構成する識別情報の種類として、特定識別情報以外の非特定識別情報が特定識別情報よりも多くなる割合が高くなるように複数ラインリーチ演出を実行する（例えば、演出制御用マイクロコンピュータ１００は、ステップＳ６６０２〜Ｓ６６０９を実行するときに、図２６（ａ）（ｂ）に示すように、確変大当り（確変昇格演出付き）や通常大当りのときには、ダブルリーチ図柄として、非確変図柄のみを含む「１−２」や「４−５」、「５−６」、「２−４」、「４−６」、「６−８」、「２−２」、「４−４」、「６−６」、「８−８」の組み合わせを高い割合で決定する）ことを特徴とする。そのような構成により、有利状態となることに対する期待感をもたせることができ、遊技に対する興趣を向上させることができる。
【手続補正５】
【補正対象書類名】明細書
【補正対象項目名】００１１
【補正方法】変更
【補正の内容】
【００１１】
遊技機は、特別状態となる場合に、可変表示手段における表示状態を一旦非特定識別情報（例えば、非確変図柄）の組み合わせによる特定の組み合わせとした後に特別状態となることを報知する報知演出（例えば、確変昇格演出）を実行するか否かを決定する報知演出決定手段（例えば、遊技制御用マイクロコンピュータ５６０におけるステップＳ６３を実行して、確変昇格演出ありの確変大当り１，３または直当りの確変大当り２を決定する部分）と、報知演出決定手段の決定結果にもとづいて報知演出を実行する報知演出実行手段（例えば、演出制御用マイクロコンピュータ１００におけるステップＳ１９０４〜Ｓ１９２１，Ｓ１９７３〜Ｓ１９７８を実行する部分。ステップＳ１９２９〜Ｓ１９３４，Ｓ９７４を実行する部分）と、を備えるように構成されていてもよい。そのような構成によれば、報知演出を実行可能に構成する場合には、一般に、特定識別情報による特定の組み合わせが導出表示される割合が低下することによって、特定識別情報の組み合わせによるリーチ状態となるリーチ演出が実行される場合の有利状態に対する期待度が低下するのであるが、一方で、非特定識別情報の組み合わせによるリーチ状態が多く含まれる複数ラインリーチ演出に対して、有利状態に対する期待度を高めさせることができる。
【手続補正６】
【補正対象書類名】明細書
【補正対象項目名】００１２
【補正方法】変更
【補正の内容】
【００１２】
本発明による遊技機の他の態様は、識別情報（例えば、演出図柄）の可変表示を行い表示結果を導出表示する可変表示手段（例えば、演出表示装置９）における所定の入賞ライン上に導出表示された識別情報の組み合わせが特定の組み合わせ（例えば、大当り図柄）であるときに遊技者にとって有利な有利状態（例えば、大当り遊技状態）とするとともに、特定の組み合わせが特定識別情報（例えば、確変図柄）による識別情報の組み合わせであったときに有利状態が終了したのちに通常状態であるときに比べて特定の組み合わせが導出表示されやすい特別状態（例えば、確変状態）とする遊技機であって、一の入賞ラインで導出表示されている識別情報の組み合わせが特定の組み合わせの一部を構成するリーチ状態とした後に該一の入賞ライン上における識別情報の組み合わせが特定の組み合わせとなるか否かを演出する単一ラインリーチ演出（例えば、シングルリーチの演出）と、複数の入賞ライン（例えば、図４９〜図５１の入賞ラインＬ１，Ｌ２、図５２の入賞ラインＬ１〜Ｌ３）においてリーチ状態とした後に該複数の入賞ラインの各々において特定の組み合わせとなるか否かを演出する複数ラインリーチ演出（例えば、ダブルリーチの演出）とを含むいずれかのリーチ演出を実行するリーチ演出実行手段（例えば、演出制御用マイクロコンピュータ１００におけるリーチを伴う変動パターンに従って、ステップＳ８２６，Ｓ８３５を実行する部分）と、特別状態となる場合に、可変表示手段における表示状態を一旦特定識別情報以外の非特定識別情報（例えば、非確変図柄）の組み合わせによる特定の組み合わせとした後に特別状態となることを報知する報知演出（例えば、確変昇格演出）を実行可能な報知演出実行手段（例えば、演出制御用マイクロコンピュータ１００におけるステップＳ１９０４〜Ｓ１９２１，Ｓ１９７３〜Ｓ１９７８を実行する部分。ステップＳ１９２９〜Ｓ１９３４，Ｓ９７４を実行する部分）と、を備え、リーチ演出実行手段は、有利状態となる場合には有利状態とならない場合と比べて、高い割合により複数ラインリーチ演出を実行しやすく、報知演出を実行する場合には報知演出を実行しない場合と比べて、複数ラインリーチ演出を実行するときに、複数の入賞ライン各々のリーチ状態を構成する識別情報の種類として、非特定識別情報が特定識別情報よりも多くなる割合が高くなるように複数ラインリーチ演出を実行する（例えば、演出制御用マイクロコンピュータ１００は、ステップＳ６６０２〜Ｓ６６０９を実行するときに、図２６（ａ）に示すように、確変大当り（確変昇格演出付き）のときには、ダブルリーチ図柄として、非確変図柄のみを含む「１−２」や「４−５」、「５−６」、「２−４」、「４−６」、「６−８」、「２−２」、「４−４」、「６−６」、「８−８」の組み合わせを高い割合で決定する）ことを特徴とする。そのような構成により、報知演出が実行されて特別状態となることが報知されることに対する期待感をもたせることができ、遊技に対する興趣を向上させることができる。
【手続補正７】
【補正対象書類名】明細書
【補正対象項目名】００１３
【補正方法】変更
【補正の内容】
【００１３】
複数ラインリーチ演出を実行するときに、複数の入賞ラインのうち少なくとも２つの入賞ラインのリーチ状態を構成する識別情報の種類として、同じ種類の非特定識別情報により複数ラインリーチ演出を実行可能である（例えば、演出制御用マイクロコンピュータは、ステップＳ６６０２〜Ｓ６６０９を実行するときに、図２５に示すように、ダブルリーチ図柄として、同じ非確変図柄のみを含む「２−２」や「４−４」、「６−６」、「８−８」の組み合わせを決定可能である）ように構成されていてもよい。そのような構成によれば、同じ種類の非特定識別情報に対して特定の組み合わせが導出表示される可能性を複数回示唆することができ、全く同じ価値のチャンスが複数回あることを遊技者に認識させやすくすることができる。
【手続補正８】
【補正対象書類名】明細書
【補正対象項目名】００１４
【補正方法】変更
【補正の内容】
【００１４】
識別情報は、所定の順序に従って配列され（例えば、連続する「１」〜「８」のアラビア数字を含む演出図柄を用いて変動表示が行われる）、複数ラインリーチ演出を実行するときに、複数の入賞ライン各々のリーチ状態を構成する識別情報の種類として、識別情報の配列上で連続しない異なる種類の非特定識別情報により複数ラインリーチ演出を実行可能である（例えば、演出制御用マイクロコンピュータは、ステップＳ６６０２〜Ｓ６６０９を実行するときに、図２５に示すように、ダブルリーチ図柄として、図柄配列上全く異なる非確変図柄のみを含む「２−４」や「４−６」、「６−８」の組み合わせを決定可能である）ように構成されていてもよい。そのような構成によれば、識別情報の配列上で連続しない異なる種類の非特定識別情報に対して特定の組み合わせが導出表示される可能性をそれぞれ示唆することによって、何回目の示唆演出であるかを遊技者に認識させやすくすることができる。
【手続補正９】
【補正対象書類名】明細書
【補正対象項目名】００１５
【補正方法】変更
【補正の内容】
【００１５】
識別情報は、所定の順序に従って連続性を有するように配列され（例えば、連続する「１」〜「８」のアラビア数字を含む演出図柄を用いて変動表示が行われる）、複数ラインリーチ演出を実行するときに、複数の入賞ラインのうち少なくとも２つの入賞ラインのリーチ状態を構成する識別情報の種類として、識別情報の配列上で連続する異なる種類の非特定識別情報により複数ラインリーチ演出を実行可能である（例えば、演出制御用マイクロコンピュータは、ステップＳ６６０２〜Ｓ６６０９を実行するときに、図２５に示すように、ダブルリーチ図柄として、図柄配列上で連続する非確変図柄のみを含む「１−２」や「４−５」、「５−６」、「８−１」の組み合わせを決定可能である）ように構成されていてもよい。そのような構成によれば、識別情報の配列上で連続する異なる種類の非特定識別情報によるリーチ状態とすることによって、複数ラインリーチ演出を実行する場合に識別情報の配列を変更する必要をなくすことができ、演出に対して遊技者に却って違和感を抱かせることを防止することができる。
【手続補正１０】
【補正対象書類名】明細書
【補正対象項目名】００１６
【補正方法】変更
【補正の内容】
【００１６】
複数ラインリーチ演出を実行するときに、複数の入賞ライン各々のリーチ状態を構成する識別情報の種類として、第１種類の非特定識別情報と第２種類の非特定識別情報とにより複数ラインリーチ演出を実行可能であり、有利状態となる場合と、有利状態とならない場合とで、異なる割合で、第１種類の非特定識別情報または第２種類の非特定識別情報により複数ラインリーチ演出を実行する（例えば、演出制御用マイクロコンピュータは、ステップＳ６６０２〜Ｓ６６０９を実行するときに、図２７（ａ）に示すように、確変大当り（確変昇格演出付き）や通常大当りと決定されている場合には、ダブルリーチ図柄として、非確変図柄のみを含む「４−５」や「５−６」の組み合わせを、非確変図柄のみを含む「１−２」の組み合わせよりも高い割合で決定する）ように構成されていてもよい。そのような構成によれば、第１種類の非特定識別情報となるか第２種類の非特定識別情報となるかで、有利状態に対する期待感を異ならせることができる。そのため、複数ラインリーチ演出が実行される場合に、第１種類の非特定識別情報となるか第２種類の非特定識別情報となるかに対して遊技者を注目させることができる。
【手続補正１１】
【補正対象書類名】明細書
【補正対象項目名】００１７
【補正方法】変更
【補正の内容】
【００１７】
遊技機は、特別状態となる場合に、可変表示手段における表示状態を一旦非特定識別情報（例えば、非確変図柄）の組み合わせによる特定の組み合わせとした後に特別状態となることを報知する報知演出（例えば、確変昇格演出）を実行するか否かを決定する報知演出決定手段（例えば、遊技制御用マイクロコンピュータ５６０におけるステップＳ６３を実行して、確変昇格演出ありの確変大当り１，３または直当りの確変大当り２を決定する部分）と、報知演出決定手段の決定結果にもとづいて報知演出を実行する報知演出実行手段（例えば、演出制御用マイクロコンピュータ１００におけるステップＳ１９０４〜Ｓ１９２１，Ｓ１９７３〜Ｓ１９７８を実行する部分。ステップＳ１９２９〜Ｓ１９３４，Ｓ９７４を実行する部分）と、を備え、複数ラインリーチ演出を実行するときに、複数の入賞ライン各々のリーチ状態を構成する識別情報の種類として、第１種類の非特定識別情報と第２種類の非特定識別情報とにより複数ラインリーチ演出を実行可能であり、報知演出決定手段によって報知演出を実行することが決定されている場合と、報知演出決定手段によって報知演出を実行しないことが決定されている場合とで、異なる割合で、第１種類の非特定識別情報または第２種類の非特定識別情報により複数ラインリーチ演出を実行する（例えば、演出制御用マイクロコンピュータは、ステップＳ６６０２〜Ｓ６６０９を実行するときに、図２７（ａ）に示すように、確変大当り（確変昇格演出付き）と決定されている場合には、ダブルリーチ図柄として、非確変図柄のみを含む「４−５」の組み合わせを、非確変図柄のみを含む「５−６」や「１−２」の組み合わせよりも高い割合で決定する）ように構成されていてもよい。そのような構成によれば、第１種類の非特定識別情報となるか第２種類の非特定識別情報となるかで、報知演出が実行されて特別状態となることが報知されることに対する期待感を異ならせることができる。そのため、複数ラインリーチ演出が実行される場合に、第１種類の非特定識別情報となるか第２種類の非特定識別情報となるかに対して遊技者を注目させることができる。